【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
ユーザによる指示に応じて、印刷対象の画像に埋め込まれる処理対象の第１の情報のタイプを選択する選択工程と、
前記第１の情報と、前記選択工程において選択されたタイプを示す第２の情報とを、前記印刷対象の画像に、電子透かしとして埋め込む埋め込み工程と、
前記埋め込み工程において前記第１の情報と、前記第２の情報とが埋め込まれた前記印刷対象の画像を印刷装置に印刷させる印刷制御工程と、
をコンピュータに実行させ、
前記印刷制御工程における印刷により得られた印刷物を撮影した撮影データに基づき、前記第１の情報と、前記第２の情報とが抽出され、当該抽出された前記第１の情報が、当該抽出された前記第２の情報に応じて異なる処理方法により処理されることを特徴とするプログラム。
【請求項２】
前記印刷制御工程における印刷により得られた印刷物を撮影した撮影データを取得する取得工程と、
前記取得工程において取得された撮影データに基づき、前記第１の情報と、前記第２の情報とを抽出する抽出工程と、
前記抽出工程において抽出された前記第１の情報を、前記抽出工程において抽出された前記第２の情報に応じて異なる処理方法により処理する処理工程と、
をさらに前記コンピュータに実行させることを特徴とする請求項１に記載のプログラム。
【請求項３】
情報が電子透かしとして埋め込まれた印刷対象の画像が印刷装置により印刷されることで得られた印刷物を撮影した撮影データを取得する取得工程と、
前記取得工程において取得された撮影データに基づき、前記情報を抽出する抽出工程と、
前記抽出工程において抽出された情報を処理する処理工程と、
をコンピュータに実行させ、
前記取得工程において取得された前記撮影データは、処理対象の第１の情報と、ユーザによる指示に応じて選択された前記第１の情報のタイプを示す第２の情報とが電子透かしとして埋め込まれた印刷対象の画像が印刷されることで得られた印刷物の撮影データであり、
前記抽出工程では、前記第１の情報と前記第２の情報が抽出され、
前記処理工程では、前記抽出工程で抽出された前記第１の情報を、前記抽出工程で抽出された前記第２の情報に応じて異なる処理方法により処理することを特徴とするプログラム。
【請求項４】
前記取得工程と、前記抽出工程と、前記処理工程とを前記コンピュータに実行させる所定のアプリケーションであることを特徴とする請求項２または３に記載のプログラム。
【請求項５】
前記処理工程では、前記第２の情報が所定の情報である場合、前記第１の情報を、前記所定のアプリケーションとは異なる他のアプリケーションに処理させ、前記第２の情報が前記所定の情報とは異なる他の情報の場合、前記第１の情報を、前記所定のアプリケーションにより処理することを特徴とする請求項４に記載のプログラム。
【請求項６】
前記処理工程では、前記第２の情報が前記所定の情報である場合、前記第１の情報としてのＵＲＬに応じたアクセス先に、前記他のアプリケーションとしてのＷｅｂブラウザによりアクセスするための処理を実行することを特徴とする請求項５に記載のプログラム。
【請求項７】
前記処理工程では、前記第２の情報に応じて異なる表示方法により、前記第１の情報に基づく表示を表示装置に実行させることを特徴とする請求項２乃至６のいずれか１項に記載のプログラム。
【請求項８】
前記処理工程では、前記第２の情報が所定の情報である場合、前記第１の情報を前記表示装置に表示させることを特徴とする請求項７に記載のプログラム。
【請求項９】
前記処理工程では、前記第１の情報をテキストとして表示させることを特徴とする請求項８に記載のプログラム。
【請求項１０】
前記処理工程では、前記第２の情報が所定の情報である場合、前記第１の情報に対応するアニメーションを前記表示装置において再生することを特徴とする請求項７に記載のプログラム。
【請求項１１】
前記処理工程では、前記第２の情報が所定の情報である場合、前記第２の情報が前記所定の情報でない場合では表示されない所定のボタンを前記表示装置に表示させ、前記所定のボタンに対するユーザの指示に応じて、前記第１の情報に基づく表示を前記表示装置に行わせることを特徴とする請求項７に記載のプログラム。
【請求項１２】
前記処理工程では、前記所定のボタンに対するユーザの指示に応じて、前記第１の情報としての位置情報に応じた地図を地図アプリケーションに表示させることを特徴とする請求項１１に記載のプログラム。
【請求項１３】
前記ユーザによる指示に応じて、前記選択工程において選択されたタイプの前記第１の情報を作成する作成工程を前記コンピュータにさらに実行させ、
前記埋め込み工程では、前記作成工程において作成された前記第１の情報を、前記印刷対象の画像に埋め込むことを特徴とする請求項１に記載のプログラム。
【請求項１４】
ユーザによる指示に応じて、印刷対象の画像に埋め込まれる処理対象の第１の情報のタイプを選択する選択手段と、
前記第１の情報と、前記選択手段により選択されたタイプを示す第２の情報とを、前記印刷対象の画像に、電子透かしとして埋め込む埋め込み手段と、
前記埋め込み手段により前記第１の情報と、前記第２の情報とが埋め込まれた前記印刷対象の画像を印刷装置に印刷させる印刷制御手段と、
を有し、
前記印刷制御手段による印刷により得られた印刷物を撮影した撮影データに基づき、前記第１の情報と、前記第２の情報とが抽出され、当該抽出された前記第１の情報が、当該抽出された前記第２の情報に応じて異なる処理方法により処理されることを特徴とする装置。
【請求項１５】
ユーザによる指示に応じて、印刷対象の画像に埋め込まれる処理対象の第１の情報のタイプを選択する選択工程と、
前記第１の情報と、前記選択工程において選択されたタイプを示す第２の情報とを、前記印刷対象の画像に、電子透かしとして埋め込む埋め込み工程と、
前記埋め込み工程において前記第１の情報と、前記第２の情報とが埋め込まれた前記印刷対象の画像を印刷装置に印刷させる印刷制御工程と、
前記印刷制御工程における印刷により得られた印刷物を撮影した撮影データを取得する取得工程と、
前記取得工程において取得された撮影データに基づき、前記第１の情報と、前記第２の情報とを抽出する抽出工程と、
前記抽出工程において抽出された前記第１の情報を、前記抽出工程において抽出された前記第２の情報に応じて異なる処理方法により処理する処理工程と、
を有することを特徴とする方法。
【手続補正２】
【補正対象書類名】明細書
【補正対象項目名】発明の名称
【補正方法】変更
【補正の内容】
【発明の名称】プログラム、装置、方法
【手続補正３】
【補正対象書類名】明細書
【補正対象項目名】０００６
【補正方法】変更
【補正の内容】
【０００６】
本発明は、ユーザによる指示に応じて、印刷対象の画像に埋め込まれる処理対象の第１の情報のタイプを選択する選択工程と、前記第１の情報と、前記選択工程において選択されたタイプを示す第２の情報とを、前記印刷対象の画像に、電子透かしとして埋め込む埋め込み工程と、前記埋め込み工程において前記第１の情報と、前記第２の情報とが埋め込まれた前記印刷対象の画像を印刷装置に印刷させる印刷制御工程と、をコンピュータに実行させ、前記印刷制御工程における印刷により得られた印刷物を撮影した撮影データに基づき、前記第１の情報と、前記第２の情報とが抽出され、当該抽出された前記第１の情報が、当該抽出された前記第２の情報に応じて異なる処理方法により処理されることを特徴とするプログラムである。